(57)【要約】      （修正有）【課題】フィルム状袋容器内に食品と雰囲気改良剤を同封する場合、該雰囲気改良剤が食品中に埋没するのを防止できるばかりでなく、雰囲気改良剤が食品に直接接触することが防止され、該食品が雰囲気改良剤により変質、劣化することが防止できるフィルム状袋容器を得る。また、雰囲気改良剤を容器内に固定化しないので容器と改良剤との分離が容易であり、また雰囲気改良剤を容器内に固定化するための溶剤（接着剤など）により、同封された食品が悪影響を受けるのを回避できるフィルム状袋容器を得る。【解決手段】ヒートシール可能なフィルム状袋容器１の前面フィルム１ａと裏面フィルム１ｂの外側からヒートシール２して、ポケット３を形成し、該ポケット３内に該雰囲気改良剤を収納可能としたフィルム状袋容器。【選択図】図１
2006282256.tif 000002
【特許請求の範囲】
【請求項１】
ヒートシール可能なフィルム状袋容器１の前面フィルム１ａと裏面フィルム１ｂの外側からヒートシール２して、ポケット３を形成し、該ポケット３内に雰囲気改良剤４を収納可能としたことを特徴とするフィルム状袋容器。
【請求項２】
雰囲気改良剤が脱酸素剤である請求項１に記載のフィルム状袋容器。
【請求項３】
容器が、食品包装用フィルム状袋容器である請求項１に記載のフィルム状袋容器。
【請求項４】
ヒートシール可能なフィルム状袋容器１を２つ折することにより区画される第１室６及び第２室７に分け、第１室６に食品を充填すると共に、第２室７の前面フィルム１ａと裏面フィルム１ｂの外側からヒートシール２して第２室７にポケット３を形成し、該ポケット３内に雰囲気改良剤４を収納し、該フィルム状袋容器内を脱気した後容器の開口部をヒートシール８し、第２室７を第１室６側に折重ねたことを特徴とするフィルム状袋容器入り食品。
【発明の詳細な説明】
【技術分野】
【０００１】
本発明は、フィルム状袋容器内に食品と雰囲気改良剤を同封する場合、該雰囲気改良剤が食品中に埋没するのを防止できるばかりでなく、雰囲気改良剤が食品に直接接触することが防止され、該食品が雰囲気改良剤により変質、劣化することが防止できるフィルム状袋容器に関する。また、雰囲気改良剤を容器内に固定化しないので容器と改良剤との分離が容易であり、また雰囲気改良剤を容器内に固定化するための溶剤（接着剤など）により同封された食品が悪影響を受けることを防止できるフィルム状袋容器に関する。また、上記特徴を有するフィルム状袋容器入り食品に関する。
【背景技術】
【０００２】
従来、フィルム状袋容器の内壁面に雰囲気改良剤が固定されていることを特徴とする粉末食品用フィルム状袋容器（特許文献１）及びフィルム状袋容器の内周壁面に雰囲気改良剤の薄い層を形成し、該層の上面に通気性保護膜を形成したフィルム状袋容器（特許文献２）が知られている。
しかし、いずれも雰囲気改良剤に隣接する食品が局部的に変質、劣化する危険性を有する。また使用済みフィルム状袋容器から雰囲気改良剤の分離が容易でなく、しかも雰囲気改良剤を容器内に固定化するための溶剤（接着剤など）によって該食品が悪影響を受ける危険性を有する。
【特許文献１】特開２０００−１４２８１７号公報
【特許文献２】特開昭５５−１０７６５９号公報
【発明の開示】
【発明が解決しようとする課題】
【０００３】
本発明は、フィルム状袋容器内に食品と雰囲気改良剤を同封する場合、該雰囲気改良剤が食品中に埋没するのを防止できるばかりでなく、雰囲気改良剤が食品に直接接触することが防止され、該食品が雰囲気改良剤により局部的に変質、劣化することが防止できるフィルム状袋容器を提供することを目的とする。また、雰囲気改良剤を容器内に固定化しないので容器と雰囲気改良剤との分離が容易であり、また雰囲気改良剤を容器内に固定化するための溶剤（接着剤など）により同封された食品が悪影響を受ける危険性を回避できるフィルム状袋容器を提供することを目的とする。
【課題を解決するための手段】
【０００４】
本発明者らは上記目的を解決するため鋭意研究を重ねた結果、遂に本発明を完成した。
すなわち請求項１に係る発明は、ヒートシール可能なフィルム状袋容器１の前面フィルム１ａと裏面フィルム１ｂの外側からヒートシール２して、ポケット３を形成し、該ポケット３内に雰囲気改良剤４を収納可能としたことを特徴とする。
【０００５】
請求項２に係る発明は、請求項１において、雰囲気改良剤が脱酸素剤であることを特徴とする。
【０００６】
請求項３に係る発明は、請求項１において、容器が、食品包装用フィルム状袋容器であることを特徴とする。
【０００７】
請求項４に係る発明は、ヒートシール可能なフィルム状袋容器１を２つ折することにより区画される第１室６及び第２室７に分け、第１室６に食品を充填すると共に、第２室７の前面フィルム１ａと裏面フィルム１ｂの外側からヒートシール２して第２室７にポケット３を形成し、該ポケット３内に雰囲気改良剤４を収納し、該フィルム状袋容器内を脱気した後容器の開口部をヒートシール８し、第２室７を第１室６側に折重ねたことを特徴とするフィルム状袋容器入り食品である。
【発明の効果】
【０００８】
本発明によれば、フィルム状袋容器内に食品と雰囲気改良剤を同封する場合、該雰囲気改良剤が食品中に埋没するのを防止できるばかりでなく、雰囲気改良剤が食品に直接接触することが防止され、該食品が雰囲気改良剤により局部的に変質、劣化することが防止できるフィルム状袋容器を提供できる。また、雰囲気改良剤を容器内に固定化しないので容器と改良剤との分離が容易で、また雰囲気改良剤を容器内に固定化するための溶剤（接着剤など）により同封された食品が悪影響を受けるのを回避できるフィルム状袋容器を提供できる。
【発明を実施するための最良の形態】
【０００９】
以下、本発明に係るフィルム状袋容器について添付の図面に従い説明する。
【００１０】
図１は、本発明に係るフィルム状袋容器の概略説明図を示し、（ａ）は上端部を開口したフィルム状袋容器１の斜視図、（ｂ）は容器１内に充填筒１１を介して食品１２を充填した状態を示す図、（ｃ）はフィルム状袋容器１の表面１ａ及び裏面１ｂからヒートシール２し、容器内にポケット３を形成した状態を示す図、（ｄ）は該ポケット３に雰囲気改良剤４を収納した状態を示す図、（ｅ）はヒートシール可能なフィルム状袋容器１を折線部５で２つ折することにより区画される第１室６及び第２室７に分け、第１室６に食品１２を充填すると共に、第２室７の前面フィルム１ａと裏面フィルム１ｂの外側からヒートシール２して第２室にポケット３を形成し、該ポケット３内に該雰囲気改良剤４を収納し、該フィルム状袋容器内を脱気した後容器の開口部をヒートシール８し、第２室７を第１室６側に折重ねて得たフィルム状袋容器入り食品の斜視図である。
【００１１】
本発明において、フィルム状袋容器本体を構成する素材としては、食品包装に常用される、ヒートシール可能なポリエチレン、ナイロン、エチレンビニル共重合体等の合成樹脂フィルム、これらのフィルムにアルミあるいはシリカ等を積層（蒸着）したフィルム等が挙げられる。これらのうち、雰囲気改良剤の効能保持と、食品を充填した後の流通過程での該食品の品質保持のために、酸素不透過性に優れている合成樹脂からなる層を少なくとも一層有する積層フィルムが好ましい。
【００１２】
また、雰囲気改良剤としては脱酸素剤、乾燥剤、殺菌剤、防腐剤、防黴剤、水蒸気不透過性剤、生長抑制剤などが挙げられる。
【００１３】
また食品としては、任意の固形食品が挙げられ、具体的には粉末食品、穀類（主穀、雑穀）、乾燥食品（干物、乾物、米菓等）等が挙げられる。
【００１４】
ポケット３の形状としては、雰囲気改良剤が収納できるものであれば任意の形状が採用可能であり、たとえば図１の（ｄ）に示すように、フィルム状袋容器１の上端隅部に設けた断面がコの字状の形状、あるいは断面が三角の形状（図面簡略のため図示せず）等とする。
【００１５】
本発明において、図１の（ｄ）に示すように、ヒートシール可能なフィルム状袋容器１を折線部（破線で示している）５で２つ折することにより区画される第１室６及び第２室７に分け、第１室６に食品１２を充填すると共に、第２室７の前面フィルム１ａと裏面フィルム１ｂの外側からヒートシール２して第２室にポケット３を形成し、該ポケット３内に該雰囲気改良剤を収納し、該フィルム状袋容器内を脱気した後容器の開口部をヒートシール８し、第２室７を第１室６側に折重ねるときは、ポケット３内に収納された雰囲気改良剤が容器内に固定されるので好ましい。このようにするときは、フィルム状袋容器入り食品を容易に得ることができるので好ましい。
【００１６】
本発明は、フィルム状袋容器内に食品と雰囲気改良剤を同封する場合、該雰囲気改良剤が食品中に埋没するのを防止できる。しかも、雰囲気改良剤はポケットの入口からフィルム状袋容器の折り畳んだ隙間を介して食品に連通しているため、雰囲気改良剤が食品に直接接触することが防止され、該食品が雰囲気改良剤により局部的に変質、劣化することが防止できる。また、雰囲気改良剤を容器内に固定化しないので容器と改良剤との分離が容易であり、また雰囲気改良剤を容器内に固定化するための溶剤（接着剤など）による悪影響が防止できる。
【実施例】
【００１７】
図１（ｄ）において、１を縦８０ｃｍ、横５０ｃｍのヒートシール可能なフィルム状袋容器とし、この容器の開口部から２０ｃｍ隔てた位置（折線部）５で２つ折することにより区画される第１室６及び第２室７に分け、第１室６に食品（膨化米）１２を充填すると共に、フィルム状袋容器の開口部から深さ１０ｃｍの位置において第２室７の前面フィルム１ａと裏面フィルム１ｂの外側からヒートシール２して第２室にポケット３（縦１０ｃｍ、横１５ｃｍ）を形成し、該ポケット３内に脱酸素剤（縦７ｃｍ、横１０ｃｍ）を収納し、該フィルム状袋容器内を脱気した後容器の開口部をヒートシール８し、第２室７を第１室６側に折重ね、本発明のフィルム状袋容器入り食品を得た。
【産業上の利用可能性】
【００１８】
本発明は、フィルム状袋容器内に食品と雰囲気改良剤を同封する場合、該雰囲気改良剤が食品中に埋没するのを防止できるばかりでなく、雰囲気改良剤が食品に直接接触することが防止され、該食品が雰囲気改良剤により変質、劣化することが防止でき、また雰囲気改良剤を容器内に固定化しないので容器と改良剤との分離が容易であり、また雰囲気改良剤を容器内に固定化するための溶剤（接着剤など）による悪影響が防止できるので、食品の包装用フィルム状袋容器として好適である。
【図面の簡単な説明】
【００１９】
【図１】本発明に係るフィルム状袋容器の概略説明図を示す。
【符号の説明】
【００２０】
１・・・フィルム状袋容器
１ａ・・・表面
１ｂ・・・裏面
２・・・ヒートシール
３・・・ポケット
４・・・雰囲気改良剤
５・・・折線部
６・・・第１室
７・・・第２室
８・・・開口部のヒートシール
１１・・・充填筒
１２・・・食品
【図１】
2006282256.tif 000003